(57)【要約】【課題】互いに相対可動する部材間に形成される環状空間にシール本体と磁気エンコーダ装置を装着する場合に、取り付けスペースを軸方向に縮小することができる磁気エンコーダ装置付き密封装置を提供する。【解決手段】ハウジング２に組付けられている静止側部材３に装着されている磁気センサ６０と、回転軸４に装着されているホルダ５１と円周方向所定ピッチで着磁され磁気センサ６０と径方向に対向しホルダ５１の円筒部５２に結合しているエンコーダ本体５６とを備える磁気エンコーダ５０と、ハウジング２と静止側部材３とで挟持されているフランジ部２１から軸方向に延びる円筒部２２がホルダ５１の円筒部５２に近接している芯金２０と回転軸４の周面を摺動可能に密封するリップ部４０とを備えるシール本体１０と、を備えることとした。【選択図】図１
2006207757.tif 000002
【特許請求の範囲】
【請求項１】
ハウジングに組付けられている静止側部材に装着されている磁気センサと、前記ハウジングおよび静止側部材の内周を貫通している回転軸と一体に回転するように装着されているホルダと円周方向所定ピッチで着磁され前記磁気センサと径方向に対向し前記ホルダの円筒部に結合しているエンコーダ本体とを備える磁気エンコーダと、前記ハウジングと前記静止側部材とで挟持されているフランジ部から軸方向に延びる円筒部が前記ホルダの円筒部に近接している芯金と前記回転軸の周面を摺動可能に密封するリップ部とを備えるシール本体と、を備えたことを特徴とする磁気エンコーダ装置付き密封装置。
【発明の詳細な説明】
【技術分野】
【０００１】
本発明は、互いに相対可動する二部材間に形成される環状空間をシールする密封装置の構造に関する。更に詳しくは、磁気エンコーダ装置を備え、クランク角検出システム及び自動車のアンチロックブレーキシステムにおける前後の車輪の回転数を検出する機能を持った密封装置に関する。
【背景技術】
【０００２】
従来、下記特許文献に示すように、互いに相対可動する二部材間に形成される環状空間をシールするシール本体に、回転数を検出するための磁気エンコーダと磁気センサとからなる磁気エンコーダ装置を装着することが提案されている。
【０００３】
図４の磁気エンコーダ装置付き密封装置１００は、ハウジング１０１に組付けられている静止側部材１０２に固定密封部１０３を介して嵌合している芯金１０４と、回転軸１０５の周面を摺動可能に密封し上記芯金１０４に固定密封部１０３を介して結合している合成樹脂製のリップ部１０６と、を有するシール本体１０７の大気側Ｂであって回転軸１０５の軸端部１０５ａに、ホルダ１０８に結合しパルス発生器として機能するエンコーダ本体１０９を有する磁気エンコーダ１１０を装着し、パルス信号を読み取る磁気センサ１１１をエンコーダ本体１０９と径方向に対向するように静止側部材１０２に装着させたものである。
【０００４】
しかし、上記構成の磁気エンコーダ装置付き密封装置１００においては、シール本体１０７と、磁気エンコーダ１１０と磁気センサ１１１とからなる磁気エンコーダ装置とが軸方向に並列し静止側部材１０２に装着されているので、取り付けスペースが軸方向に拡がるとの問題点があった。
【０００５】
【特許文献１】特開２００４−９３５５４号公報
【特許文献２】特許第３０４３０１３号公報
【発明の開示】
【発明が解決しようとする課題】
【０００６】
本発明は以上の点に鑑みて、互いに相対可動する部材間に形成される環状空間にシール本体と磁気エンコーダ装置を装着する場合に、取り付けスペースを軸方向に縮小することを目的とする。
【課題を解決するための手段】
【０００７】
上記目的を達成するため、本発明の請求項１に係る磁気エンコーダ装置付き密封装置は、ハウジングに組付けられている静止側部材に装着されている磁気センサと、前記ハウジングおよび静止側部材の内周を貫通している回転軸と一体に回転するように装着されているホルダと円周方向所定ピッチで着磁され前記磁気センサと径方向に対向し前記ホルダの円筒部に結合しているエンコーダ本体とを備える磁気エンコーダと、前記ハウジングと前記静止側部材とで挟持されているフランジ部から軸方向に延びる円筒部が前記ホルダの円筒部に近接している芯金と前記回転軸の周面を摺動可能に密封するリップ部とを備えるシール本体と、を備えたことを特徴とするものである。
【０００８】
本発明は、以下の効果を奏する。
【０００９】
すなわち、上記構成を備えた本発明の磁気エンコーダ装置付き密封装置によれば、シール本体の芯金がハウジングと静止側部材とにより挟持されるので、磁気エンコーダのエンコーダ本体をシール本体のリップ部の外周側で径方向に重ね合わせた状態で装着することができ、シール本体と磁気エンコーダ装置を軸方向に並列して装着する必要がなく、しかも磁気エンコーダのホルダの円筒部にシール本体の芯金の円筒部を近接させているので、径方向を拡大せずに軸方向の取り付けスペースを縮小することができる。
【発明を実施するための最良の形態】
【００１０】
以下に図面を参照して、この発明の好適な実施の形態を例示して説明する。ただし、この発明の範囲は、特に限定的記載がないかぎりは、この実施の形態に記載されている内容に限定する趣旨のものではない。
【００１１】
図１は、本発明の第一実施例に係る磁気エンコーダ装置付き密封装置の断面図である。
【００１２】
図１に示すように、磁気エンコーダ装置付き密封装置１は、シール本体１０と、磁気エンコーダ装置１１とを備え、磁気エンコーダ装置１１は、磁気エンコーダ５０と、磁気センサ６０と、を備えている。
【００１３】
シール本体１０は、ハウジングであるシリンダブロック２およびそれに組付けられた静止側部材であるリテーナ３と、シリンダブロック２およびリテーナ３の内周を貫通している回転軸４とで形成される環状空間を摺動可能に密封するように装着されている。
【００１４】
シール本体１０は、芯金２０と、固定密封部３０と、リップ部４０と、から構成されている。芯金２０は、第一フランジ部２１と、第一フランジ部２１の内周側端部から直角に曲がり軸方向大気側に水平に延びる第一円筒部２２と、第一円筒部２２の大気側端部から直角に曲がり内周方向に垂直に延びる第二フランジ部２３からなる板金プレスにより一体で成形された金属環である。
【００１５】
固定密封部３０はゴム状弾性体であって、第一フランジ部２１に接着している第一固定密封部３１と、第二フランジ部２３に接着している第二固定密封部３６とが別個に成形されている。第一固定密封部３１は芯金２０の第一フランジ部２１の外周側端面とクランク室側側面を覆うように接着していて、クランク室側側面を覆っている部分に、外周側の第一凸部３２および第二凸部３３が形成されている。第一凸部３２は、シール本体１０装着時にリテーナ３に形成されている凹部３Ａ内で、芯金２０の第一フランジ部２１のクランク室側側面とシリンダブロック２の大気側端面に挟まれて軸方向に圧縮を受け、芯金２０はシリンダブロック２とリテーナ３とで挟持される。また、第二固定密封部３６は、芯金２０の第二フランジ部２３の内周側端部を覆うように接着している。
【００１６】
リップ部４０は、第二固定密封部３６のクランク室側端面に接着している固定部４１と、固定部４１の内周方向端部からクランク室側に向かって延び回転軸４の周面に摺接するシールリップ４６とが樹脂により一体に成形されていて、固定部４１の外周側端面は芯金２０の第一円筒部２２の内周側側面に当接している。
【００１７】
磁気エンコーダ５０は、ホルダ５１と、エンコーダ本体５６とから構成されている。ホルダ５１は、シール本体１０の芯金２０の第一円筒部２２と平行状態で外周側に近接し水平に延在する円筒部５２と、円筒部５２の大気側端部から内周方向に延びるフランジ部５３とが板金プレスにより一体で成形された金属環であって、フランジ部５３は、中央部にある段付により外周側フランジ部５４と内周側フランジ部５５とで構成されていて、内周側フランジ部５５のクランク室側側面が回転軸４の大気側端部４Ａに結合している。エンコーダ本体５６は、ホルダ５１の円筒部５２の外周面に一体的に設けられ、例えばフェライト粉末等の磁性粉末を混合した合成樹脂若しくはゴム材、または強磁性体金属からなり、円周方向所定ピッチでＮ極とＳ極とが交互に着磁された円筒状の多極磁石である。
【００１８】
磁気センサ６０は、磁気エンコーダ５０のエンコーダ本体５６の外周側であって径方向に対向するように、シリンダブロック２に組付けられているリテーナ３に装着されている。
【００１９】
以上の構成によれば、シール本体１０の芯金２０が固定密封部３０と接着した状態でシリンダブロック２とリテーナ３とに挟持されているので、磁気エンコーダ５０のエンコーダ本体５６をシール本体１０の芯金２０の第一円筒部２２の外周側に延在させても、芯金２０がエンコーダ本体５６と磁気センサ６０との間を遮断することがない。したがって、シール本体１０と磁気エンコーダ装置１１を径方向に重ね合わせた状態で装着することができ、しかも、芯金２０の第一円筒部２２が磁気エンコーダ５０の円筒部５２に平行状態で近接し水平に延在するので、径方向に拡大することなく軸方向の装着スペースを縮小することが可能となる。
【００２０】
図２は、本発明の第二実施例に係る磁気エンコーダ装置付き密封装置の断面図であり、第一実施例と異なる点について説明する。
【００２１】
本第二実施例の磁気エンコーダ装置付き密封装置１においては、ゴム状弾性体の固定密封部３０がシール本体１０の芯金２０の第一フランジ部２１の大気側側面、第一円筒部２２の外周側側面および第二フランジ部２３の大気側側面を覆うように接着し、内周側端部には固定密封部３０と一体に成形されているゴム状弾性体のリップ部４０が設けられている。シール本体１０装着時には、リテーナ３に形成されている凹部３Ａ内に、固定密封部３０と接着している第一フランジ部２１が挿入され、シリンダブロック２とリテーナ３とで芯金２０が挟持される。リップ部４０は、固定密封部３０に連結し芯金２０の第二フランジ部２３の内径側端部を覆うように接着している固定部４１と、固定部４１からクランク室側に延びるシールリップ４６とからなり、シールリップ４６の外径側には、径方向に緊迫力を与えるガータスプリング４７が取り付けられている。
【００２２】
図３は、本発明の第三実施例に係る磁気エンコーダ装置付き密封装置の断面図であり、第二実施例と異なる点について説明する。
【００２３】
本第三実施例の磁気エンコーダ装置付き密封装置１においては、シール本体１０の芯金２０の第一フランジ部２１に外周側端部から大気側に水平に延びる第二円筒部２４が形成されていて、第二円筒部２４の大気側端面および内周側側面は固定密封部３０で覆われている。シール本体１０装着時には、リテーナ３に形成されている凹部３Ａ内に、固定密封部３０と接着している第二円筒部２４および第一フランジ部２１が挿入され、芯金２０の第二円筒部２４の外周側側面が凹部３Ａの内周面に嵌合すると共に、シリンダブロック２とリテーナ３とで芯金２０が挟持される。
【図面の簡単な説明】
【００２４】
【図１】本発明に係る第一実施例の断面図
【図２】本発明に係る第二実施例の断面図
【図３】本発明に係る第三実施例の断面図
【図４】従来例における断面図
【符号の説明】
【００２５】
１  磁気エンコーダ装置付き密封装置
２  シリンダブロック（ハウジング）
３  リテーナ（静止側部材）
３Ａ  凹部
４  回転軸
４Ａ  回転軸端部
１０  シール本体
１１  磁気エンコーダ装置
２０  芯金
２１，２３，５３，５４，５５  フランジ部
２２，２４，５２  円筒部
３０，３１，３６  固定密封部
３２，３３  凸部
４０  リップ部
４１  固定部
４６  シールリップ
５０  磁気エンコーダ
５１  ホルダ
５６  エンコーダ本体
６０  磁気センサ
Ａ  クランク室側
Ｂ  大気側
【図１】
2006207757.tif 000003
【図２】
2006207757.tif 000004
【図３】
2006207757.tif 000005
【図４】
2006207757.tif 000006
【手続補正書】
【提出日】平成17年3月7日(2005.3.7)
【手続補正１】
【補正対象書類名】図面
【補正対象項目名】全図
【補正方法】変更
【補正の内容】
【図１】
2006207757.tif 000007
【図２】
2006207757.tif 000008
【図３】
2006207757.tif 000009
【図４】
2006207757.tif 000010